(57)【要約】【課題】  光学部品の位置調整を実施可能とし、光学部品を位置ずれなく良好に固定できる光学部品用筐体を提供する。【解決手段】光学部品用筐体４５を構成する第１保持枠４４６Ａは、第１回転規制部４４７１Ｃおよび第２回転規制部４４７１Ｅに案内されながら光学部品保持枠支持面４４７１Ａ上を摺動し、保持した光学部品を照明光軸を中心として該照明光軸に直交する平面内で回転し位置調整する。光学部品用筐体４５を構成する第２保持枠４４６Ｂは、第２回転規制部４４７１Ｅおよび第３回転規制部４４７２に案内されながら第１保持枠４４６Ａの第１支持面４４６２Ｂ４上を摺動し、保持した光学部品を照明光軸を中心として該照明光軸に直交する平面内で回転し位置調整する。【選択図】 図７
2007057598.tif 000002
【特許請求の範囲】
【請求項１】
内部に光源から射出された光束の照明光軸が設定され、複数の光学部品を収納して前記照明光軸上の所定位置に配置する光学部品用筐体であって、
前記複数の光学部品が設置される容器状の部品収納部材と、前記複数の光学部品のうち少なくともいずれかの光学部品を保持し前記部品収納部材内の所定位置に前記光学部品を設置する第１保持枠と、前記第１保持枠に保持される光学部品に近接配置される光学部品を保持し前記部品収納部材内の所定位置に前記光学部品を設置する第２保持枠と、前記部品収納部材の開口部分を閉塞可能とし蓋状に形成され上面に前記照明光軸を中心とする円弧状の曲面として構成され前記照明光軸を中心として前記第１保持枠および前記第２保持枠を回動可能に支持する光学部品保持枠支持面を有する蓋状部材とを備え、
前記第１保持枠は、前記光学部品保持枠支持面に対応して湾曲し、前記光学部品保持枠支持面上に支持され、前記照明光軸を中心として前記保持した前記光学部品を回動させる第１回動部を備え、
前記第１回動部は、前記光学部品保持枠支持面上で回動可能に前記光学部品保持枠支持面に摺接する第１摺接面と、前記第１摺接面と対向する端面に形成され前記第２保持枠を回動可能に支持する第１支持面とを備え、前記第１摺接面および前記第１支持面と交差する各側端面のうちいずれかの側端面が前記第１保持枠および前記第２保持枠の回動方向に平行して延出し前記第１保持枠の回動を案内する第１保持枠案内面として構成され、
前記第１回動部には、前記第１摺接面および前記第１支持面を貫通し、前記第１保持枠および前記第２保持枠の回動方向に沿って延びる第１長孔が形成され、
前記第１長孔は、前記第１保持枠案内面に対向する開口端縁部分が前記第１保持枠案内面に平行して延出し前記第１保持枠の回動を案内する第１長孔案内面として構成され、
前記第２保持枠は、前記第１支持面に対応して前記照明光軸を中心とする円弧状の曲面として構成され前記第１支持面に摺接し前記照明光軸を中心として前記保持した光学部品を回動させる第２摺接面を有する第２回動部を備え、
前記第２回動部は、前記第２摺接面と交差する各側端面のうち対向する一対の側端面が前記第１保持枠および前記第２保持枠の回動方向に平行して延出し前記第２保持枠の回動を案内する一対の第２保持枠案内面として構成され、
前記蓋状部材の上面には、前記光学部品保持枠支持面に前記第１保持枠および前記第２保持枠が支持された状態で、前記第１保持枠案内面に沿って平行に延出し前記第１保持枠案内面に当接する第１回転規制面を有する第１回転規制部と、前記第１長孔を介して突出し対向する一対の側端面が前記第１長孔案内面および前記第２保持枠案内面に沿って平行に延出し前記第１長孔案内面と前記一対の第２保持枠案内面のうち前記第１長孔案内面に近接する側の前記第２保持枠案内面とにそれぞれ当接する一対の第２回転規制面として構成される第２回転規制部と、前記第２保持枠案内面に沿って平行に延出し前記一対の第２保持枠案内面のうち前記第１長孔案内面に離間する側の前記第２保持枠案内面と当接する第３回転規制面を有する第３回転規制部とが設けられていることを特徴とする光学部品用筐体。
【請求項２】
請求項１に記載の光学部品用筐体において、
前記第１回動部には、前記第１摺接面および前記第１支持面を貫通し、前記第１保持枠の回動方向に沿って延び、前記第１長孔に対して前記第１保持枠案内面から離間する側に設けられる第１固定用孔が形成され、
前記第２回動部には、前記第２摺接面を貫通し、前記第２保持枠の回動方向に沿って延び、前記第１保持枠に前記第２保持枠が支持された状態で、少なくとも一部が前記第１固定用孔と平面的に干渉する第２固定用孔が形成され、
前記光学部品保持枠支持面には、前記光学部品保持枠支持面に前記第１保持枠および前記第２保持枠が支持された状態で、前記第１固定用孔および前記第２固定用孔を介して挿通され前記第１保持枠および前記第２保持枠の双方を固定するための螺合部材が取り付けられる螺合部材取付部が形成されていることを特徴とする光学部品用筐体。
【請求項３】
請求項１または請求項２に記載の光学部品用筐体において、
前記第１回転規制部、前記第２回転規制部、および前記第３回転規制部は、前記第１保持枠および前記第２保持枠の回動方向に沿って配置される少なくとも２つでそれぞれ構成されていることを特徴とする光学部品用筐体。
【請求項４】
請求項１から請求項３のいずれかに記載の光学部品用筐体において、
前記第１保持枠および前記第２保持枠は、同一形状で形成されていることを特徴とする光学部品用筐体。
【請求項５】
請求項４に記載の光学部品用筐体において、
前記第１保持枠および前記第２保持枠には、前記第１保持枠および前記第２保持枠に対する前記光学部品の上下方向の外形位置を規定する一対の外形位置基準面が形成され、
前記一対の外形位置基準面の離間寸法は、前記光学部品における上下方向の高さ寸法に対して、前記第１回動部の厚み寸法分大きく形成されていることを特徴とする光学部品用筐体。
【請求項６】
光源から射出された光束の光路上に配置される複数の光学部品と、前記複数の光学部品を内部に収納する、請求項１から請求項５のいずれかに記載の光学部品用筐体とを備えていることを特徴とする光学装置。
【請求項７】
光源と、前記光源から射出された光束を画像情報に応じて変調して光学像を形成する光変調装置と、前記光変調装置で形成された光学像を拡大投射する投射光学装置とを備えたプロジェクタであって、
請求項６に記載の光学装置を備えていることを特徴とするプロジェクタ。
【発明の詳細な説明】
【技術分野】
【０００１】
本発明は、光学部品用筐体、光学装置、およびプロジェクタに関する。
【背景技術】
【０００２】
従来、会議、学会、展示会等でのプレゼンテーションにプロジェクタを用いることが知られている。このようなプロジェクタは、その内部に複数の光学部品を収容し、これらの光学部品を用いることにより、光源から射出された光束を変調した後に拡大投射して投射画像を形成している。
このような光学部品としては、光源から射出された光束を変調する光変調装置と、この光変調装置を挟むように配置される入射側偏光板および射出側偏光板と、入射側偏光板および光変調装置の間や射出側偏光板および光変調装置の間に介在配置される視野角補正板等が用いられている。
ここで、入射側偏光板は、光変調装置に入射する偏光方向を制御するものであり、入射した光束のうち所定の偏光方向を有する直線偏光光束のみを透過させる。また、視野角補正板は、光変調装置から射出される光束の視野角を拡大するものであり、入射側偏光板と略同様に、入射した光束の偏光方向を制御するものである。そして、このような光学部品を採用することで、高コントラストかつ視野角の良好な投射画像を実現している。
そして、従来では、入射側偏光板および視野角補正板の位置調整を実施可能とする光学部品用筐体が知られている（例えば、特許文献１参照）。
特許文献１に記載の光学部品用筐体は、複数の光学部品が設置される下部筺体と、この下部筺体の開口部分を閉塞する蓋状の上部筐体と、入射側偏光板および視野角補正板を保持し、下部筺体内の所定位置に設置する光学部品保持枠とを備える。上部筐体の上面には、光学部品保持枠を回動可能に支持する光学部品保持枠支持面が形成されている。また、光学部品保持枠は、入射側偏光板を保持する偏光板保持枠と、視野角補正板を保持する補正板保持枠とを備える。偏光板保持枠は、上部筐体の光学部品保持枠支持面上を摺動するように構成されているとともに、補正板保持枠を回動可能に支持する回転案内面を有している。これら偏光板保持枠および補正板保持枠には、少なくとも一部が互いに平面的に干渉する各トラック孔を有し、光学部品保持枠支持面には、各トラック孔を介して挿通され偏光板保持枠および補正板保持枠の双方を光学部品保持枠支持面に固定するねじを取り付けるための固定用孔が形成されている。
そして、偏光板保持枠および補正板保持枠を回動させることで入射側偏光板および視野角補正板の位置調整が実施され、位置調整の後に、ねじを固定用孔に螺合固定することで偏光板保持枠および補正板保持枠の双方が光学部品保持枠支持面に固定される。
【０００３】
【特許文献１】特開２００５−１２１８８０号公報
【発明の開示】
【発明が解決しようとする課題】
【０００４】
しかしながら、特許文献１に記載の光学部品用筐体では、位置調整の後に、ねじを固定用孔に螺合固定した場合に、ねじの回転に連動して偏光板保持枠および補正板保持枠の双方が回転する恐れがある。このように偏光板保持枠および補正板保持枠の双方が回転した場合には、入射側偏光板および視野角補正板の位置調整を実施しても、各保持枠を固定する際に入射側偏光板および視野角補正板の位置がずれてしまう。
【０００５】
本発明の目的は、光学部品の位置調整を実施可能とし、光学部品を位置ずれなく良好に固定できる光学部品用筐体、光学装置、およびプロジェクタを提供することにある。
【課題を解決するための手段】
【０００６】
本発明の光学部品用筐体は、内部に光源から射出された光束の照明光軸が設定され、複数の光学部品を収納して前記照明光軸上の所定位置に配置する光学部品用筐体であって、前記複数の光学部品が設置される容器状の部品収納部材と、前記複数の光学部品のうち少なくともいずれかの光学部品を保持し前記部品収納部材内の所定位置に前記光学部品を設置する第１保持枠と、前記第１保持枠に保持される光学部品に近接配置される光学部品を保持し前記部品収納部材内の所定位置に前記光学部品を設置する第２保持枠と、前記部品収納部材の開口部分を閉塞可能とし蓋状に形成され上面に前記照明光軸を中心とする円弧状の曲面として構成され前記照明光軸を中心として前記第１保持枠および前記第２保持枠を回動可能に支持する光学部品保持枠支持面を有する蓋状部材とを備え、前記第１保持枠は、前記光学部品保持枠支持面に対応して湾曲し、前記光学部品保持枠支持面上に支持され、前記照明光軸を中心として前記保持した前記光学部品を回動させる第１回動部を備え、前記第１回動部は、前記光学部品保持枠支持面上で回動可能に前記光学部品保持枠支持面に摺接する第１摺接面と、前記第１摺接面と対向する端面に形成され前記第２保持枠を回動可能に支持する第１支持面とを備え、前記第１摺接面および前記第１支持面と交差する各側端面のうちいずれかの側端面が前記第１保持枠および前記第２保持枠の回動方向に平行して延出し前記第１保持枠の回動を案内する第１保持枠案内面として構成され、前記第１回動部には、前記第１摺接面および前記第１支持面を貫通し、前記第１保持枠および前記第２保持枠の回動方向に沿って延びる第１長孔が形成され、前記第１長孔は、前記第１保持枠案内面に対向する開口端縁部分が前記第１保持枠案内面に平行して延出し前記第１保持枠の回動を案内する第１長孔案内面として構成され、前記第２保持枠は、前記第１支持面に対応して前記照明光軸を中心とする円弧状の曲面として構成され前記第１支持面に摺接し前記照明光軸を中心として前記保持した光学部品を回動させる第２摺接面を有する第２回動部を備え、前記第２回動部は、前記第２摺接面と交差する各側端面のうち対向する一対の側端面が前記第１保持枠および前記第２保持枠の回動方向に平行して延出し前記第２保持枠の回動を案内する一対の第２保持枠案内面として構成され、前記蓋状部材の上面には、前記光学部品保持枠支持面に前記第１保持枠および前記第２保持枠が支持された状態で、前記第１保持枠案内面に沿って平行に延出し前記第１保持枠案内面に当接する第１回転規制面を有する第１回転規制部と、前記第１長孔を介して突出し対向する一対の側端面が前記第１長孔案内面および前記第２保持枠案内面に沿って平行に延出し前記第１長孔案内面と前記一対の第２保持枠案内面のうち前記第１長孔案内面に近接する側の前記第２保持枠案内面とにそれぞれ当接する一対の第２回転規制面として構成される第２回転規制部と、前記第２保持枠案内面に沿って平行に延出し前記一対の第２保持枠案内面のうち前記第１長孔案内面に離間する側の前記第２保持枠案内面と当接する第３回転規制面を有する第３回転規制部とが設けられていることを特徴とする。
【０００７】
ここで、光学部品としては、種々のものを採用でき、例えば、偏光板、位相差板、光学補償手段（視野角補正板、色補正膜等）等を採用できる。
本発明では、第１保持枠は、蓋状部材の光学部品保持枠支持面上に第１摺接面が当接し光学部品保持枠支持面上を摺動することで、保持した光学部品が部品収納部材内部に設定された照明光軸を中心として該照明光軸に直交する平面内で回転し位置調整される。この際、第１保持枠は、第１保持枠案内面および第１長孔案内面が蓋状部材の上面に設けられた第１回転規制部の第１回転規制面、および第２回転規制部の第２回転規制面に挟まれた状態で当接する。このため、第１保持枠案内面、第１長孔案内面、第１回転規制面、および第２回転規制面により、第１保持枠を、光学部品保持枠支持面上において、照明光軸を中心とする回動方向に直交する方向に回転して位置がずれることなく前記回動方向に良好に回動させることができ、保持した光学部品を良好に位置調整できる。また、第１保持枠は、第１保持枠案内面および第１長孔案内面が第１回転規制面および第２回転規制面に挟まれた状態で当接するので、例えば、第１保持枠を光学部品保持枠支持面に対してねじ等の螺合部材を用いて固定する際でも、第１回転規制面および第２回転規制面により照明光軸を中心とする回動方向に直交する方向の回転移動が規制され、第１保持枠が螺合部材の回転に連動して回転することがなく、光学部品を位置ずれなく良好に固定できる。
【０００８】
また、第２保持枠は、第１保持枠の第１支持面上に第２摺接面が当接し第１支持面上を摺動することで、保持した光学部品が部品収納部材内部に設定された照明光軸を中心として該照明光軸に直交する平面内で回転し位置調整される。この際、第２保持枠は、一対の第２保持枠案内面が蓋状部材の上面に設けられた第２回転規制部の第２回転規制面、および第３回転規制部の第３回転規制面に挟まれた状態で当接する。このため、一対の第２保持枠案内面、第２回転規制面、および第３回転規制面により、第２保持枠を、第１支持面上において、照明光軸を中心とする回動方向に直交する方向に回転して位置がずれることなく前記回動方向に良好に回動させることができ、保持した光学部品を良好に位置調整できる。また、第２保持枠は、一対の第２保持枠案内面が第２回転規制面および第３回転規制面に挟まれた状態で当接するので、例えば、第２保持枠を光学部品保持枠支持面や第１支持面に対してねじ等の螺合部材を用いて固定する際でも、第２回転規制面および第３回転規制面により照明光軸を中心とする回動方向に直交する方向の回転移動が規制され、第２保持枠が螺合部材の回転に連動して回転することがなく、光学部品を位置ずれなく良好に固定できる。
【０００９】
そして、上述した構成により、光学部品保持枠支持面上に第１保持枠および第２保持枠を設置した状態では、第１回動部および第２回動部が照明光軸方向に互いにずれた位置に配置されることとなり、例えば、第１回動部および第２回動部が略同一位置に平面的に干渉するように配置される構成と比較して、第１保持枠および第２保持枠を独立して容易に回動させる構造を実現できる。
【００１０】
また、第１保持枠の第１長孔を介して第２回転規制部を突出させる構成としているので、第１保持枠および第２保持枠の回動を案内しかつ、回動方向に直交する方向の回転移動を規制する部材として、第１回転規制部、第２回転規制部、および第３回転規制部の少ない部材で構成でき、光学部品用筐体の製造を容易としかつその製造コストの低減を図れる。
さらに、蓋状部材の光学部品保持枠支持面上に第１保持枠の第１回動部を支持させ、第１回動部の第１支持面上に第２保持枠の第２回動部を支持させる構造とすることで、第１保持枠および第２保持枠を一体化して各保持枠が占有するスペースの低減化を図れ、光学部品用筐体が大型化することもない。
【００１１】
本発明の光学部品用筐体では、前記第１回動部には、前記第１摺接面および前記第１支持面を貫通し、前記第１保持枠の回動方向に沿って延び、前記第１長孔に対して前記第１保持枠案内面から離間する側に設けられる第１固定用孔が形成され、前記第２回動部には、前記第２摺接面を貫通し、前記第２保持枠の回動方向に沿って延び、前記第１保持枠に前記第２保持枠が支持された状態で、少なくとも一部が前記第１固定用孔と平面的に干渉する第２固定用孔が形成され、前記光学部品保持枠支持面には、前記光学部品保持枠支持面に前記第１保持枠および前記第２保持枠が支持された状態で、前記第１固定用孔および前記第２固定用孔を介して挿通され前記第１保持枠および前記第２保持枠の双方を固定するための螺合部材が取り付けられる螺合部材取付部が形成されていることが好ましい。
本発明では、第１保持枠および第２保持枠には、それぞれ第１固定用孔および第２固定用孔が形成され、各固定用孔は、少なくとも一部が互いに平面的に干渉する。また、蓋状部材の光学部品保持枠支持面には、各固定用孔を介して挿通される螺合部材が取り付けられる螺合部材取付部が形成されている。このことにより、第１保持枠および第２保持枠の双方を、単一のねじ等の螺合部材により固定することができ、必要とする固定部材の数量を低減して光学部品用筐体の製造コストの低減を図れるとともに、各保持枠の回動に応じた光学部品の最適な位置で蓋状部材に対して各保持枠を一括して固定できる。
【００１２】
本発明の光学部品用筐体では、前記第１回転規制部、前記第２回転規制部、および前記第３回転規制部は、前記第１保持枠および前記第２保持枠の回動方向に沿って配置される少なくとも２つでそれぞれ構成されていることが好ましい。
本発明によれば、第１回転規制部、第２回転規制部、および第３回転規制部のそれぞれを、第１保持枠および第２保持枠の回動方向に沿って配置される少なくとも２つで構成することで、それぞれ１つで構成する場合と比較して、第１保持枠および第２保持枠の回動を安定して案内しかつ、回動方向に直交する方向の回転移動を確実に規制できる。
【００１３】
本発明の光学部品用筐体では、前記第１保持枠および前記第２保持枠は、同一形状で形成されていることが好ましい。
本発明によれば、第１保持枠および第２保持枠を同一形状で形成することで、第１保持枠および第２保持枠を異なる形状で形成する構成と比較して、第１保持枠および第２保持枠を共通部品として使用でき、部品コストを抑制でき、光学部品用筐体の製造コストを低減できる。
【００１４】
本発明の光学部品用筐体では、前記第１保持枠および前記第２保持枠には、前記第１保持枠および前記第２保持枠に対する前記光学部品の上下方向の外形位置を規定する一対の外形位置基準面が形成され、前記一対の外形位置基準面の離間寸法は、前記光学部品における上下方向の高さ寸法に対して、前記第２回動部の厚み寸法分大きく形成されていることが好ましい。
ところで、第１保持枠および第２保持枠を同一形状で形成し、第１保持枠および第２保持枠に保持する光学部品の上下方向の高さ寸法と略同一の離間寸法で光学部品の上下方向の外形位置を規定する一対の外形位置基準面を設けた場合には、以下の問題がある。
第１保持枠および第２保持枠の各一対の外形位置基準面を利用して各光学部品を位置決めする。そして、第１保持枠および第２保持枠を蓋状部材の上面に設置する。この状態では、第１保持枠の第１回動部の厚み寸法分、第１保持枠に保持された光学部品に対して第２保持枠に保持された光学部品が上方側に位置し、部品収納部材内での各光学部品の位置が異なるものとなってしまう。
本発明によれば、一対の外形位置基準面の離間寸法が光学部品における上下方向の高さ寸法に対して、第１回動部の厚み寸法分大きく形成されている。このことにより、例えば、第１保持枠に対して光学部品を位置決めする場合には、一対の外形位置基準面のうち、上方側に位置する外形位置基準面に光学部品の外形を合わせて位置決めする。また、第２保持枠に対して光学部品を位置決めする場合には、一対の外形位置基準面のうち、下方側に位置する外形位置基準面に光学部品の外形を合わせて位置決めする。このように位置決めすることで、第１保持枠および第２保持枠を蓋状部材の上面に設置した場合であっても、部品収納部材内での各光学部品の位置が異なることなく所定位置に良好に位置付けることができる。
【００１５】
本発明の光学装置は、光源から射出された光束の光路上に配置される複数の光学部品と、前記複数の光学部品を内部に収納する、上述した光学部品用筐体とを備えていることを特徴とする。
本発明によれば、光学装置は、上述した光学部品用筐体を備えているので、上述した光学部品用筐体と同様の作用・効果を享受できる。
また、光学装置は、光学部品の位置調整を可能としかつ光学部品を位置ずれなく良好に固定できる光学部品用筐体を備えているので、各光学部品の相互の位置ずれを回避し、良好な光学像を形成できる。
【００１６】
本発明のプロジェクタは、光源と、前記光源から射出された光束を画像情報に応じて変調して光学像を形成する光変調装置と、前記光変調装置で形成された光学像を拡大投射する投射光学装置とを備えたプロジェクタであって、上述した光学装置を備えていることを特徴とする。
本発明によれば、プロジェクタは、上述した光学装置を備えているので、上述した光学装置と同様の作用・効果を享受できる。
また、例えば、３つの光変調装置と、これら光変調装置にて変調された変調光を合成する色合成光学装置を備える三板式のプロジェクタの場合、各光変調装置に対応する偏光板および視野角補正板を３組の第１保持枠および第２保持枠にてそれぞれ位置調整する構成とすれば、高コントラスト比を実現しつつ、光変調装置毎に生じる視野角依存性による画面ムラを抑制し、色むらのない投射画像を形成できる。
【発明を実施するための最良の形態】
【００１７】
以下、本発明の実施の一形態を図面に基づいて説明する。
〔１．外観構成〕
図１および図２は、プロジェクタ１の外観を示す斜視図である。具体的に、図１は、プロジェクタ１を前面上方側から見た斜視図である。図２は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１または図２に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された画像光を拡大投射する。
【００１８】
外装筺体２は、合成樹脂製の筺体であり、プロジェクタ１の装置本体を収納する。この外装筺体２は、図１または図２に示すように、装置本体の上部部分を覆うアッパーケース２１と、装置本体の下部部分を覆うロアーケース２２と、装置本体の前面部分を覆うフロントケース２３（図１）とを備える。
アッパーケース２１は、図１または図２に示すように、外装筺体２の天面、側面の一部、背面の一部、および前面の一部をそれぞれ形成する天面部２１Ａ、側面部２１Ｂ（図２），２１Ｃ（図１）、背面部２１Ｄ（図２）、および前面部２１Ｅ（図１）を含んで構成される。
【００１９】
天面部２１Ａは、図１または図２に示すように、平面視略矩形形状を有し、平面視略中央部分から前面側、側面側、および背面側にかけて、なだらかに湾曲し、凸曲面形状を有する。
この天面部２１Ａにおいて、前方側であって、前方から見て右側部分には、図１または図２に示すように、２つの開口部２１Ａ１が形成されている。そして、２つの開口部２１Ａ１は、投射レンズ３を操作可能としスクリーン（図示略）上に投射された投影画像の投射位置調整を実施するための各種回転つまみ３Ａの一部を露出させる。
また、この天面部２１Ａにおいて、開口部２１Ａ１の後方側には、図１または図２に示すように、プロジェクタ１の起動・調整操作を実施する操作パネル２４が左右方向に延びるように設けられている。操作パネル２４の操作ボタン２４１を適宜押下すると、操作ボタン２４１内部に配置される図示しない回路基板に実装されたタクトスイッチと接触し、所望の操作が可能となる。また、前記回路基板には、図示しないＬＥＤ（Light Emitting Diode）が取り付けられており、所定の操作に応じて発光するようになっている。
なお、前述した操作パネル２４の回路基板は、制御基板（図示略）と電気的に接続され、操作ボタン２４１の押下に伴う操作信号は、前記制御基板に出力される。
【００２０】
側面部２１Ｂ，２１Ｃ、背面部２１Ｄ、および前面部２１Ｅは、図１または図２に示すように、天面部２１Ａにおける平面視矩形形状の各端縁から略垂下する部分である。
これらのうち背面部２１Ｄにおいて、背面側から見て左側部分には、図２に示すように、下端縁から上方側に向けて平面視コ字状の切り欠き２１Ｄ１が形成されている。
また、前面部２１Ｅには、図１に示すように、下端縁から上方側に向けて平面視コ字状の切り欠き２１Ｅ１が形成されている。
【００２１】
ロアーケース２２は、図１または図２に示すように、外装筺体２の底面、側面の一部、背面の一部、および前面の一部をそれぞれ形成する底面部２２Ａ、側面部２２Ｂ（図２），２２Ｃ（図１）、背面部２２Ｄ（図２）、および前面部２２Ｅ（図１）を含んで構成される。
底面部２２Ａは、具体的な図示は省略するが、略矩形状の平坦面で構成されている。そして、この底面部２２Ａには、机等の接地面に接地する複数の脚部や、プロジェクタ１内部に外部の冷却空気を導入するための吸気口が形成されている。
【００２２】
側面部２２Ｂ，２２Ｃ、背面部２２Ｄ、および前面部２２Ｅは、図１または図２に示すように、底面部２２Ａにおける平面視矩形形状の各端縁から上方に立設する部分である。
これらのうち背面部２２Ｄにおいて、背面側から見て左側部分には、図２に示すように、上端縁から下方側に向けて平面視コ字状の切り欠き２２Ｄ１が形成されている。そして、アッパーケース２１およびロアーケース２２を組み合わせた状態で切り欠き２１Ｄ１，２２Ｄ１が接続して開口部２５が形成される。この開口部２５には、図２に示すように、該開口部２５の形状に対応した外形形状を有する接続端子設置部２６が嵌合固定される。
この接続端子設置部２６は、図２に示すように、背面部２１Ｄ，２２Ｄの端面よりも内側に窪む断面略コ字形状を有し、底部分に複数の孔２６１が形成されている。そして、図２に示すように、これら複数の孔２６１を介して、外部の電子機器からの画像信号、音声信号等を入力するための複数の接続端子２７が露出している。また、この接続端子設置部２６の内側には、接続端子２７から入力される信号を処理するインターフェース基板（図示略）が配置されている。
なお、前記インターフェース基板は、制御基板（図示略）と電気的に接続され、インターフェース基板にて処理された信号は、制御基板に出力される。
【００２３】
また、背面部２２Ｄにおいて、切り欠き２２Ｄ１の下方側には、図２に示すように、２つの開口部２２Ｄ２，２２Ｄ３が形成されている。そして、図２に示すように、背面側から見て左側に位置する開口部２２Ｄ２を介して内部のインレットコネクタ２８が露出し、外部の電力をプロジェクタ１の装置本体に供給可能としている。また、図２に示すように、背面側から見て右側に位置する開口部２２Ｄ３を介して電源スイッチ２９が露出し、該電源スイッチ２９を切り替えることで、プロジェクタ１の主電源のＯＮ／ＯＦＦが可能となる。
なお、この電源スイッチ２９は、制御基板（図示略）と電気的に接続され、電源スイッチ２９の切り替えに伴う操作信号は、前記制御基板に出力される。
【００２４】
また、前面部２２Ｅには、図１に示すように、上端縁から下方側に向けて平面視コ字状の切り欠き２２Ｅ１が形成されている。そして、アッパーケース２１およびロアーケース２２が組み合わされた状態で、前面部２１Ｅの切り欠き２１Ｅ１のコ字状内側部分、および前面部２２Ｅの切り欠き２２Ｅ１のコ字状内側部分にてフロントケース２３が支持固定される。
【００２５】
フロントケース２３は、図１に示すように、左右方向に延びる略楕円形状を有し、アッパーケース２１およびロアーケース２２と接続することで、切り欠き２１Ｅ１，２２Ｅ１にて形成される開口部分を閉塞する。
このフロントケース２３において、前方から見て右側部分には、図１に示すように、外装筺体２の内側に窪み、底部分に略円形状の開口２３１が形成されている。そして、この開口２３１は、投射レンズ３の先端部分を露出させる。
また、このフロントケース２３において、長手方向略中央部分には、図１に示すように、リモコン受光窓２３２が形成されている。そして、このリモコン受光窓２３２の内側には、リモートコントローラ（図示略）からの操作信号を受信するリモコン受光モジュール（図示略）が配置されている。
なお、リモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介してリモコン受光モジュールで受光され、制御基板（図示略）で処理される。
【００２６】
さらに、このフロントケース２３において、前方から見て左側部分には、図１に示すように、プロジェクタ１内部にて温められた空気を外部に排出するための平面視矩形状の排気口２３３が形成されている。
また、この排気口２３３周縁部分は、図１に示すように、内部に向けて突出する筒形状を有するように形成されている。より具体的には、排気口２３３周縁部分は、投射レンズ３に近接する方向に向けて投射レンズ３からの投射方向に対して傾斜して突出する筒形状を有するように形成されている。そして、排気口２３３の筒状内側部分には、図１に示すように、上下に架設され、排気口２３３周縁部分の突出方向に延出する複数の羽根板２３３Ａが形成されている。
【００２７】
〔２．内部構成〕
図３および図４は、プロジェクタ１の内部構成を示す図である。具体的に、図３は、アッパーケース２１および制御基板を取り外した状態を前面上方側から見た斜視図である。図４は、アッパーケース２１および制御基板を取り外した状態を背面上方側から見た斜視図である。
外装筺体２の内部には、図３または図４に示すように、プロジェクタ１の装置本体が収容されている。この装置本体は、光学装置としての光学ユニット４と、電源ユニット５と、冷却ユニット６等を含んで構成される。
なお、装置本体は、図示は省略するが、光学ユニット４、電源ユニット５、および冷却ユニット６の他、光学ユニット４の上方側に配置されプロジェクタ１全体を制御する制御基板等を備えている。
【００２８】
〔３．光学ユニットの詳細な構成〕
図５は、光学ユニット４の光学系を模式的に示す平面図である。
光学ユニット４は、前記制御基板による制御の下、画像情報に応じて画像光を形成する。この光学ユニット４は、図３または図４に示すように、外装筺体２内において、背面部２１Ｄ，２２Ｄに沿って左右方向に延び、側面部２１Ｂ，２２Ｂに沿って前方に延びる平面視Ｌ字形状を有している。
この光学ユニット４は、図５に示すように、インテグレータ照明光学系４１と、色分離光学系４２と、リレー光学系４３と、電気光学装置４４と、これらの光学部品４１〜４４を内部に収納するとともに、投射レンズ３を所定位置で支持固定する合成樹脂製の光学部品用筐体４５とを備える。
インテグレータ照明光学系４１は、電気光学装置４４を構成する後述する各液晶パネルの画像形成領域をほぼ均一に照明するための光学系である。このインテグレータ照明光学系４１は、図５に示すように、光源装置４１１と、第１レンズアレイ４１２と、第２レンズアレイ４１３と、偏光変換素子４１４と、重畳レンズ４１５とを備えている。
【００２９】
光源装置４１１は、放射状の光線を射出する放射光源としての光源ランプ４１１Ａと、この光源ランプ４１１Ａから射出された放射光を反射するリフレクタ４１１Ｂと、ランプハウジング４１１Ｃ（図３ないし図５）とを備える。光源ランプ４１１Ａとしては、ハロゲンランプやメタルハライドランプ、または高圧水銀ランプが用いられることが多い。リフレクタ４１１Ｂとしては、放物面鏡を用いている。なお、放物面鏡の他、平行化凹レンズと共に楕円面鏡を用いてもよい。
ランプハウジング４１１Ｃは、光源ランプ４１１Ａおよびリフレクタ４１１Ｂを内部に収納するものであり、ロアーケース２２の底面部分に取り付けられるとともに光学部品用筐体４５と接続する。
【００３０】
第１レンズアレイ４１２は、光軸方向から見てほぼ矩形状の輪郭を有する小レンズがマトリクス状に配列された構成を有している。各小レンズは、光源ランプ４１１Ａから射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を後述する液晶パネル上に結像させる機能を有している。
【００３１】
偏光変換素子４１４は、第２レンズアレイ４１３の光路後段に配置される。このような偏光変換素子４１４は、第２レンズアレイ４１３からの光を略１種類の偏光光に変換するものであり、これにより、電気光学装置４４での光の利用効率が高められている。
具体的に、偏光変換素子４１４によって略１種類の偏光光に変換された各部分光は、重畳レンズ４１５によって最終的に電気光学装置４４の後述する各液晶パネル上にほぼ重畳される。偏光光を変換するタイプの液晶パネルを用いた本実施形態のプロジェクタ１では、１種類の偏光光しか利用できないため、他種類のランダムな偏光光を発する光源ランプ４１１Ａからの光束の略半分が利用されない。このため、偏光変換素子４１４を用いることにより、光源ランプ４１１Ａから射出された光束を略全て１種類の偏光光に変換し、電気光学装置４４での光の利用効率を高めている。
【００３２】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２，４３４を備え、色分離光学系４２で分離された色光を青色光用の液晶パネルまで導く機能を有している。
【００３３】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色光用の液晶パネルに達する。このフィールドレンズ４１７は、第２レンズアレイ４１３から射出された各部分光束をその中心軸（主光線）に対して平行な光束に変換する。他の緑色光および青色光用の液晶パネルの光入射側に設けられたフィールドレンズ４１７も同様である。
【００３４】
ダイクロイックミラー４２１を透過した青色光と緑色光のうちで、緑色光はダイクロイックミラー４２２によって反射し、フィールドレンズ４１７を通って緑色光用の液晶パネルに達する。一方、青色光はダイクロイックミラー４２２を透過してリレー光学系４３を通り、さらにフィールドレンズ４１７を通って青色光用の液晶パネルに達する。なお、青色光にリレー光学系４３が用いられているのは、青色光の光路の長さが他の色光の光路の長さよりも長いため、光の拡散等による光の利用効率の低下を防止するためである。すなわち、入射側レンズ４３１に入射した部分光束をそのまま、フィールドレンズ４１７に伝えるためである。なお、リレー光学系４３には、３つの色光のうちの青色光を通す構成としたが、これに限らず、例えば、赤色光を通す構成としてもよい。
【００３５】
電気光学装置４４は、３枚の光変調装置となる液晶パネル４４１（赤色光用の液晶パネルを４４１Ｒ、緑色光用の液晶パネルを４４１Ｇ、青色光用の液晶パネルを４４１Ｂとする）と、偏光板４４２と、視野角補正板４４４と、クロスダイクロイックプリズム４４３とを備えている。
液晶パネル４４１は、例えば、ポリシリコンＴＦＴ(Thin Film Transistor)をスイッチング素子として用いたものであり、色分離光学系４２で分離された各色光は、これら３枚の液晶パネル４４１とこれらの光束入射側および射出側にある偏光板４４２によって、画像情報に応じて変調されて光学像を形成する。
【００３６】
偏光板４４２は、液晶パネル４４１の光路前段および光路後段に配置される入射側偏光板４４２Ａ、射出側偏光板４４２Ｂを備える。
入射側偏光板４４２Ａは、色分離光学系４２で分離された各色光のうち、一定方向の偏光光のみ透過させ、その他の光束を吸収するものであり、水晶またはサファイア等からなる基板に偏光膜が貼付されたものである。そして、この入射側偏光板４４２Ａは、光学部品用筐体４５を構成する後述する位置調整機構により、光学部品用筐体４５内に設定される所定の照明光軸に対して位置調整可能に配置されている。
【００３７】
射出側偏光板４４２Ｂも、入射側偏光板４４２Ａと略同様に構成され、液晶パネル４４１から射出された光束のうち、所定方向の偏光光のみ透過させ、その他の光束を吸収するものである。また、射出側偏光板４４２Ｂは、液晶パネル４４１およびクロスダイクロイックプリズム４４３の間に配設されていればよく、例えば、射出側偏光板４４２Ｂをクロスダイクロイックプリズム４４３に貼り付ける構成や、基板を用いずに偏光膜をクロスダイクロイックプリズム４４３に直接貼り付ける構成等を採用してもよい。このような構成では、偏光膜に生じた熱を基板を介してクロスダイクロイックプリズム４４３に放熱したり、偏光膜に生じた熱を直接クロスダイクロイックプリズム４４３に放熱でき、偏光膜の冷却性を向上できる。
これらの入射側偏光板４４２Ａ、射出側偏光板４４２Ｂは、互いの偏光軸の方向が直交するように設定されている。
【００３８】
視野角補正板４４４は、基板上に液晶パネル４４１で形成された光学像の視野角を補正する機能を有する光学変換膜が形成されたものである。このような視野角補正板４４４を配置することにより、黒画面時の光漏れを低減し投射画像のコントラストが大幅に向上する。そして、この視野角補正板４４４は、入射側偏光板４４２Ａと略同様に、光学部品用筐体４５を構成する後述する位置調整機構により、光学部品用筐体４５内に設定される所定の照明光軸に対して位置調整可能に配置されている。
なお、前記位置調整機構については、後述する。
【００３９】
クロスダイクロイックプリズム４４３は、３枚の液晶パネル４４１から射出された色光毎に変調された画像を合成してカラー画像を形成するものである。なお、クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００４０】
以上説明した各光学系４１〜４４は、光学部品用筺体４５内に収容されている。
光学部品用筐体４５は、図３ないし図５に示すように、内部に光源装置４１１から射出された光束の照明光軸Ａ（図５）が設定され、前述の各光学部品４１２〜４１５，４１７，４２１〜４２３，４３１〜４３４，４４２Ａ，４４４を上方からスライド式に嵌め込む溝部（例えば、入射側偏光板４４２Ａおよび視野角補正板４４４用に設けられた溝部４５１Ａ（図６、図７参照））がそれぞれ設けられた容器状の部品収納部材４５１（図３、図５）と、部品収納部材４５１の上部の開口を閉塞する蓋状の蓋状部材４５２と、蓋状部材４５２の一部を含み、入射側偏光板４４２Ａおよび視野角補正板４４４の双方の位置調整を実施する位置調整機構４４５（図３、図４）とを備えて構成されている。
また、平面視略Ｌ字状の光学部品用筐体４５の一端側には、照明光軸Ａ（図５）に対する所定位置に光源装置４１１が配設され、他端側には、照明光軸Ａに対する所定位置に投射レンズ３が固定されている。また、投射レンズ３の光路前段には、電気光学装置４４が固定されている。
なお、位置調整機構４４５の詳細な構成については、後述する。
【００４１】
〔４．電源ユニットの構成〕
電源ユニット５は、インレットコネクタ２８（図２）を介して外部から供給された電力を各構成部材に供給するものである。この電源ユニット５は、図３または図４に示すように、光学ユニット４の光源装置４１１の側方であって、外装筺体２の側面部２１Ｃ，２２Ｃに沿って配設される。この電源ユニット５は、図３または図４に示すように、電源ブロック５１と、ランプ駆動ブロック５２とを備える。
電源ブロック５１は、光源装置４１１の側方に配設され、インレットコネクタ２８を介して外部から供給された電力をランプ駆動ブロック５２および前記制御基板等に供給する。この電源ブロック５１は、入力される交流を所定の電圧に変換するトランスや該トランスからの出力を所定の電圧の直流に変換する変換回路等が片面に実装された回路基板（図示略）と、この回路基板を覆う箱状部材５１１とを備える。
箱状部材５１１は、図３または図４に示すように、光源装置４１１とで略Ｌ字形状を有するように、前後方向に延出する形状を有している。そして、この箱状部材５１１には、背面側に冷却ユニット６からの空気を内部に導入するための第１導入口５１１Ａ（図４）が形成され、光源装置４１１とで形成される略Ｌ字形状の内側端面に内部の空気を外部に排出するための排出口５１１Ｂ（図３）が形成されている。また、図示は省略するが、この箱状部材５１１には、光源装置４１１から離間する側の端面にランプ駆動ブロック５２から排出された空気を導入するための第２導入口が形成されている。
【００４２】
ランプ駆動ブロック５２は、電源ブロック５１の側方で側面部２１Ｃ，２２Ｃに沿って配設され、光源装置４１１に安定した電圧で電力を供給するための変換回路等が片面に実装された回路基板（図示略）を備え、電源ブロック５１から入力した商用交流電流は、このランプ駆動ブロック５２によって整流、変換されて、直流電流や交流矩形波電流となって光源装置４１１に供給される。また、ランプ駆動ブロック５２の前記回路基板は、電源ブロック５１と同様に、箱状部材５２１内部に収納されている。
箱状部材５２１は、図３または図４に示すように、箱状部材５１１と平行に前後方向に延出する形状を有している。そして、この箱状部材５２１には、背面側に冷却ユニット６からの空気を内部に導入するための導入口５２１Ａ（図４）が形成され、箱状部材５１１と対向する側の端面に、箱状部材５１１の前記第２導入口に対応して、内部の空気を外部に排出するための排出口（図示略）が形成されている。
【００４３】
〔５．冷却ユニットの構成〕
冷却ユニット６は、プロジェクタ１内部の構成部材を冷却するものである。この冷却ユニット６は、図３または図４に示すように、電源ユニット５を主に冷却する電源ユニット冷却部６１と、プロジェクタ１内部の空気を外部に排出するための光源装置冷却部６２等を含んで構成される。
なお、具体的な図示は省略するが、冷却ユニット６は、各液晶パネル４４１や偏光変換素子４１４を冷却するための冷却ファンやダクトで構成される液晶パネル冷却部等も備えている。
【００４４】
電源ユニット冷却部６１は、図３または図４に示すように、光源装置４１１および電源ユニット５と外装筺体２の背面部２１Ｄ，２２Ｄとの間の空間に配設される。この電源ユニット冷却部６１は、図３または図４に示すように、吸気側ダクト６１１と、シロッコファン６１２と、第１排気側ダクト６１３とを備える。そして、電源ユニット冷却部６１は、シロッコファン６１２の駆動により、プロジェクタ１外部の冷却空気を、ロアーケース２２に形成された吸気口（図示略）〜吸気側ダクト６１１〜シロッコファン６１２〜排気側ダクト６１３の空気流通路を辿って電源ユニット５を構成する各箱状部材５１１，５２１の各導入口５１１Ａ，５２１Ａを介して各箱状部材５１１，５２１内部に導入する。電源ユニット５のうち箱状部材５２１内部に導入された空気は、箱状部材５２１の排出口（図示略）および箱状部材５１１の第２導入口（図示略）を介して箱状部材５１１内部に導入される。箱状部材５２１内部において、導入口５２１Ａから排出口へと空気が流通する際に、ランプ駆動ブロック５２の回路基板が冷却される。また、電源ユニット５のうち箱状部材５１１内部に導入された空気は、排出口５１１Ｂを介して、箱状部材５１１および光源装置４１１で形成される略Ｌ字形状の内側部分に排出される。箱状部材５１１内部において、第１導入口５１１Ａおよび第２導入口から排出口５１１Ｂへと空気が流通する際に、電源ブロック５１の回路基板が冷却される。
【００４５】
光源装置冷却部６２は、図３または図４に示すように、光源装置４１１および箱状部材５１１で形成される略Ｌ字形状の内側部分に配設される。この光源装置冷却部６２は、図３または図４に示すように、軸流ファン６２１と、第２排気側ダクト６２２とを備える。そして、光源装置冷却部６２は、軸流ファン６２１の駆動により、光源装置４１１および箱状部材５１１で形成される略Ｌ字形状の内側部分の空気（電源ユニット５を介して排出された空気等）や、その他の空間の空気を、軸流ファン６２１〜第２排気側ダクト６２２の空気流通路を辿ってフロントケース２３の排気口２３３を介して投射レンズ３の投射方向から離間する方向にプロジェクタ１外部へと排出する。より具体的に、光源装置４１１を構成するランプハウジング４１１Ｃには、図３または図４に示すように、前後方向に対向する各端面に空気を内外に流通可能とする複数の孔４１１Ｃ１が形成されており、軸流ファン６２１が駆動することにより、複数の孔４１１Ｃ１を介してランプハウジング４１１Ｃ内部の空気が軸流ファン６２１に吸入される。ランプハウジング４１１Ｃ内部において、複数の孔４１１Ｃ１を介して空気が流通する際に、光源ランプ４１１Ａやリフレクタ４１１Ｂが冷却される。
【００４６】
〔６．位置調整機構の構造〕
図６および図７は、位置調整機構４４５を説明するための図である。具体的に、図６は、入射側偏光板４４２Ａおよび視野角補正板４４４が位置調整機構４４５に取り付けられた状態を上方側から見た斜視図である。図７は、図６の分解斜視図である。
なお、図６および図７では、説明の便宜上、Ｒ，Ｇ，Ｂ色光の各光路に対応した位置にそれぞれ設けられる３つの位置調整機構４４５のうち、Ｇ色光の光路に対応した位置に設けられる位置調整機構４４５のみを図示している。Ｒ，Ｂ色光の各光路に対応した位置に設けられる各位置調整機構４４５もＧ色光の光路に対応した位置に設けられる位置調整機構４４５と同様の構成である。
位置調整機構４４５は、図６または図７に示すように、入射側偏光板４４２Ａおよび視野角補正板４４４の双方を保持する光学部品保持枠４４６と、蓋状部材４５２の上面に位置し、光学部品保持枠４４６を姿勢調整可能に支持する保持枠姿勢調整部４４７と、光学部品保持枠４４６を保持枠姿勢調整部４４７に固定するための固定部４４８とで構成される。
【００４７】
蓋状部材４５２は、図３または図４に示すように、部品収納部材４５１の上方側の開口部分のうち、上述した各光学部品４１２〜４１５，４１７，４２１〜４２３，４３１〜４３４が収納される開口部分を閉塞する。すなわち、蓋状部材４５２は、図３または図４に示すように、光源装置４１１の光路後段側から電気光学装置４４の光路前段側にかけて部品収納部材４５１の上方側の開口部分を閉塞し、部品収納部材４５１に蓋状部材４５２が取り付けられた状態では、電気光学装置４４の上方側には電気光学装置４４を平面的に囲うように略矩形状の開口４５２Ａ（図３、図４、図６、図７）が形成される構成となっている。
また、開口４５２Ａの内側部分には、光学部品保持枠４４６の後述する第１保持枠における板状部材の光束入射側端面と当接する支持面４５２Ｂ１を有する支持部４５２Ｂ（図７）が形成されている。このように支持部４５２Ｂを設けることで、光学部品保持枠４４６を蓋状部材４５２に良好に位置決めできるとともに、光学部品保持枠４４６の回動時における光学部品保持枠４４６および蓋状部材４５２間の摩擦を低減させ、光学部品保持枠４４６を円滑に回動可能としている。
【００４８】
保持枠姿勢調整部４４７は、図６または図７に示すように、蓋状部材４５２の上面に位置し、蓋状部材４５２の開口４５２Ａ近傍（Ｒ，Ｇ，Ｂ色光の光路に対応した位置）に３つ設けられる。この保持枠姿勢調整部４４７は、図６または図７に示すように、姿勢調整部本体４４７１と、一対の第３回転規制部４４７２とを備える。
姿勢調整部本体４４７１は、図６または図７に示すように、蓋状部材４５２の上面に立設され、略直方体形状を有し、光学部品保持枠４４６の略全体を姿勢調整可能に支持する部分である。そして、姿勢調整部本体４４７１の上面は、光源装置４１１から射出された光束（図６、図７ではＧ色光）の照明光軸Ａを中心として、上方に凸となる平面視円弧形状に形成され、光学部品保持枠４４６の略全体を照明光軸Ａを中心として回動可能に支持する光学部品保持枠支持面４４７１Ａとして機能する。
【００４９】
この光学部品保持枠支持面４４７１Ａにおいて、円弧形状の中央部分（凸面の高さ寸法が最も大きい部分）には、図７に示すように、光学部品保持枠４４６の回動方向（円弧形状の延出方向）と略直交する方向に所定間隔（入射側偏光板４４２Ａおよび視野角補正板４４４の配設間隔と略同一）空けて、一対の螺合部材取付部４４７１Ｂ（開口４５２Ａから離間した側の螺合部材取付部を４４７１Ｂ１、開口４５２Ａに近接する側の螺合部材取付部を４４７１Ｂ２とする）が形成されている。これら螺合部材取付部４４７１Ｂは、ねじ孔等の螺合構造を有するように形成されている。
また、この光学部品保持枠支持面４４７１Ａにおいて、螺合部材取付部４４７１Ｂ１近傍位置には、図６または図７に示すように、光学部品保持枠４４６の回動方向に螺合部材取付部４４７１Ｂ１を中心として対称となる位置（照明光軸を中心として平面的に対称となる位置）に一対の第１回転規制部４４７１Ｃが立設されている。すなわち、一対の第１回転規制部４４７１Ｃは、光学部品保持枠４４６の回動方向に沿って配置されている。
一対の第１回転規制部４４７１Ｃは、図６または図７に示すように、略直方体形状を有し、開口４５２Ａに近接する側の各側端面が光学部品保持枠４４６の回動方向（光学部品保持枠支持面４４７１Ａの円弧形状の延出方向）に平行に延出し光学部品保持枠４４６の後述する第１保持枠の第１保持枠案内面と当接する第１回転規制面４４７１Ｃ１としてそれぞれ機能する。
【００５０】
さらに、この光学部品保持枠支持面４４７１Ａにおいて、螺合部材取付部４４７１Ｂ１の近傍位置であって、螺合部材取付部４４７１Ｂ１に対して開口４５２Ａから離間する方向にずれた位置には、図６または図７に示すように、固定部４４８の後述するワッシャと当接する略直方体状のワッシャ当接部４４７１Ｄが立設されている。このワッシャ当接部４４７１Ｄの高さ寸法は、光学部品保持枠４４６の後述する回動部の厚み寸法と略同一に設定されている。
【００５１】
さらにまた、この光学部品保持枠支持面４４７１Ａにおいて、光学部品保持枠４４６の回動方向に直交する方向の略中央部分（一対の螺合部材取付部４４７１Ｂの間）には、図６または図７に示すように、円弧形状の中央部分に対して対称となる位置（照明光軸を中心として平面的に対称となる位置）に一対の第２回転規制部４４７１Ｅが形成されている。すなわち、一対の第２回転規制部４４７１Ｅは、光学部品保持枠４４６の回動方向に沿って配置されている。
一対の第２回転規制部４４７１Ｅは、図６または図７に示すように、略直方体形状を有し、各対向する側端面（照明光軸方向の各側端面）が光学部品保持枠４４６の回動方向（光学部品保持枠支持面４４７１Ａの円弧形状の延出方向）に平行に延出し光学部品保持枠４４６の後述する第１保持枠の第１長孔案内面、および第２保持枠の一対の第２保持枠案内面のうち一方の第２保持枠案内面とそれぞれ当接する一対の第２回転規制面４４７１Ｅ１，４４７１Ｅ２としてそれぞれ機能する。
【００５２】
一対の第３回転規制部４４７２は、図６または図７に示すように、蓋状部材４５２の開口４５２Ａに沿い、照明光軸を中心として平面的に対称となる位置に立設されている。すなわち、一対の第３回転規制部４４７２は、光学部品保持枠４４６の回動方向に沿って配置されている。
一対の第３回転規制部４４７２は、図６または図７に示すように、略直方体形状を有し、突出方向先端部分における切り欠き４５２Ａから離間する側の角部分が面取りされて側面視Ｌ字形状を有している。そして、一対の第３回転規制部４４７２のＬ字形状内側部分のうち略水平部分の端面は、図６または図７に示すように、上述した光学部品保持枠支持面４４７１Ａと同様に円弧形状を有し、光学部品保持枠４４６の一部を照明光軸を中心として回動可能に支持する光学部品保持枠支持面４４７２Ａとして機能する。また、この光学部品保持枠支持面４４７２Ａは、光学部品保持枠支持面４４７１Ａに対して、光学部品保持枠４４６の後述する保持枠突出部の厚み寸法分、高い位置に設定されている。一方、一対の第３回転規制部４４７２のＬ字形状内側部分のうち略垂直部分の端面は、図６または図７に示すように、光学部品保持枠４４６の回動方向（光学部品保持枠支持面４４７２Ａの円弧形状の延出方向）に平行に延出し光学部品保持枠４４６の後述する第２保持枠の一対の第２保持枠案内面のうち他方の第２保持枠案内面と当接する第３回転規制面４４７２Ｂとして機能する。
【００５３】
光学部品保持枠４４６は、保持枠姿勢調整部４４７の光学部品保持枠支持面４４７１Ａ，４４７２Ａに回動可能に支持され、入射側偏光板４４２Ａおよび視野角補正板４４４を姿勢調整可能に保持する。この光学部品保持枠４４６は、図６または図７に示すように、入射側偏光板４４２Ａを保持する第１保持枠４４６Ａと、視野角補正板４４４を保持する第２保持枠４４６Ｂとで構成される。そして、これら第１保持枠４４６Ａおよび第２保持枠４４６Ｂは、入射側偏光板４４２Ａおよび視野角補正板４４４をそれぞれ独立して姿勢調整可能となるように、一体化されている。なお、本実施形態では、第１保持枠４４６Ａおよび第２保持枠４４６Ｂは、同一形状で構成されているため、以下では、１つの光学部品保持枠４４６のみを説明する。
【００５４】
図８および図９は、光学部品保持枠４４６を説明するための図である。具体的に、図８は、入射側偏光板４４２Ａまたは視野角補正板４４４が光学部品保持枠４４６に取り付けられた状態を示す斜視図である。図９は、図８の分解斜視図である。
光学部品保持枠４４６は、図８または図９に示すように、略矩形板状の板状部材４４６１と、この板状部材４４６１の上方側端縁から板面に沿って上方側に突出し、突出方向先端部分が板面の略法線方向に突出する保持枠突出部４４６２とを備え、これら板状部材４４６１および保持枠突出部４４６２が一体的に形成されたものである。
板状部材４４６１において、その略中央部分には、図９に示すように、平面視矩形状の開口部４４６１Ａが形成されている。
また、板状部材４４６１において、上下端縁および左右端縁には、図８または図９に示すように、板状部材４４６１の板面から光束射出側に突出し、入射側偏光板４４２Ａや視野角補正板４４４の外形位置を規定する外形位置基準面として機能する７つの位置決め部４４６１Ｂが形成されている。
【００５５】
より具体的に、各位置決め部４４６１Ｂのうち、板状部材４４６１の上端縁に形成された位置決め部４４６１Ｂ１、および左右端縁に形成された４つの位置決め部４４６１Ｂ２，４４６１Ｂ３が、入射側偏光板４４２Ａの外形位置基準面として機能する。また、板状部材４４６１の下端縁に形成された２つの位置決め部４４６１Ｂ４、および４つの位置決め部４４６１Ｂ２，４４６１Ｂ３が、視野角補正板４４４の外形位置基準面として機能する。
ここで、本実施形態では、入射側偏光板４４２Ａおよび視野角補正板４４４は、外形形状が同一のものを採用している。
そして、左右端縁に形成された位置決め部４４６１Ｂ２，４４６１Ｂ３の離間寸法は、入射側偏光板４４２Ａおよび視野角補正板４４４の左右方向の長さ寸法と略同一に設定されている。
また、位置決め部４４６１Ｂ１と位置決め部４４６１Ｂ４の離間寸法は、入射側偏光板４４２Ａおよび視野角補正板４４４の上下方向の長さ寸法よりも保持枠突出部４４６２の後述する回動部の厚み寸法分大きくなるように設定されている。
【００５６】
さらに、板状部材４４６１において、左右側端縁略中央部分には、板状部材４４６１の板面に沿って外側に膨出する膨出部４４６１Ｃが形成されている。そして、光学部品保持枠４４６を部品収納部材４５１内に設置した際には、図６に示すように、部品収納部材４５１内に形成された溝部４５１Ａに膨出部４４６１Ｃが挿入される。また、膨出部４４６１Ｃは、平面視略円弧状に形成されているので、部品収納部材４５１内に光学部品保持枠４４６を設置した際でも、該光学部品保持枠４４６を円滑に回動することができる。
【００５７】
保持枠突出部４４６２は、図８または図９に示すように、板状部材４４６１の上方側端縁から上方に向けて延出する平面視略三角形状の延出部４４６２Ａと、延出部４４６２Ａの延出方向先端部分から板状部材４４６１の略法線方向に突出する回動部４４６２Ｂとを備える。本実施形態では、回動部４４６２Ｂが本発明に係る第１回動部および第２回動部に相当する。
これらのうち、回動部４４６２Ｂは、図８または図９に示すように、延出部４４６２Ａの延出方向先端部分から板状部材４４６１の略法線方向に所定寸法突出する第１突出部４４６２Ｂ１と、第１突出部４４６２Ｂ１の突出方向先端部分から左右方向に延出する第２突出部４４６２Ｂ２とを備え、平面視略Ｔ字状に形成されている。また、回動部４４６２Ｂは、保持枠姿勢調整部４４７の光学部品保持枠支持面４４７１Ａ，４４７２Ａに対応して、下方に向けて凹状に湾曲し、光束入射側または光束射出側から見た場合に、略円弧状に形成されている。
【００５８】
そして、回動部４４６２Ｂにおける下方側端面が摺接面４４６２Ｂ３（図８、図９）となり、光学部品保持枠４４６のうち第１保持枠４４６Ａは、保持枠姿勢調整部４４７の光学部品保持枠支持面４４７１Ａ上に摺接面４４６２Ｂ３が当接した状態で保持枠姿勢調整部４４７に支持される。すなわち、第１保持枠４４６Ａは、保持枠姿勢調整部４４７の光学部品保持枠支持面４４７１Ａ上で摺接面４４６２Ｂ３が摺動可能な状態で支持され、光学部品用筐体４５内に設定される照明光軸を中心として該照明光軸に直交する面内で入射側偏光板４４２Ａの位置調整が可能となっている。
また、回動部４４６２Ｂにおける上方側端面が第１支持面４４６２Ｂ４（図８、図９）となり、光学部品保持枠４４６のうち第２保持枠４４６Ｂは、第１保持枠４４６Ａの第１支持面４４６２Ｂ４上に摺接面４４６２Ｂ３が当接した状態で保持枠姿勢調整部４４７に支持される。すなわち、第２保持枠４４６Ｂは、第１保持枠４４６Ａの第１支持面４４６２Ｂ４上で該第２保持枠４４６Ｂの摺接面４４６２Ｂ３が摺動可能な状態で支持され、光学部品用筐体４５内に設定される照明光軸を中心として該照明光軸に直交する面内で視野角補正板４４４の位置調整が可能となっている。
本実施形態では、摺接面４４６２Ｂ３が本発明に係る第１摺接面および第２摺接面に相当する。
【００５９】
第２突出部４４６２Ｂ２において、摺接面４４６２Ｂ３および第１支持面４４６２Ｂ４と交差する各側端面のうち回動部４４６２Ｂの突出方向と交差する各側端面４４６２Ｂ５，４４６２Ｂ６は、光学部品保持枠４４６の回動方向（回動部４４６２Ｂの円弧形状の延出方向）に平行に延出する。
また、第２突出部４４６２Ｂ２には、図８または図９に示すように、表裏を貫通し、該第２突出部４４６２Ｂ２の延出方向、すなわち、光学部品保持枠４４６の回動方向に延びる平面視矩形状の長孔４４６２Ｂ７および固定用孔４４６２Ｂ８が形成されている。より具体的に、長孔４４６２Ｂ７は第２突出部４４６２Ｂ２の先端側に形成され、固定用孔４４６２Ｂ８は第２突出部４４６２Ｂ２の基端側に形成されている。
保持枠姿勢調整部４４７の光学部品保持枠支持面４４７１Ａ上に第１保持枠４４６Ａを設置した状態では、第１保持枠４４６Ａの長孔４４６２Ｂ７を介して保持枠姿勢調整部４４７の第２回転規制部４４７１Ｅが突出する。そして、長孔４４６２Ｂ７は、光学部品保持枠４４６の回動方向に直交する方向の幅寸法が、第２回転規制部４４７１Ｅにおける光学部品保持枠４４６の回動方向に直交する方向の幅寸法と略同一か、あるいは、若干大きく設定されている。また、長孔４４６２Ｂ７と第２突出部４４６２Ｂ２の先端側の側端面４４６２Ｂ５との間の幅寸法は、第１保持枠４４６Ａの摺接面４４６２Ｂ３が保持枠姿勢調整部４４７の光学部品保持枠支持面４４７１Ａに当接可能とするために、第１回転規制部４４７１Ｃと第２回転規制部４４７１Ｅとの間の離間寸法と略同一か、あるいは、若干小さく設定されている。このため、保持枠姿勢調整部４４７の光学部品保持枠支持面４４７１Ａ上に第１保持枠４４６Ａを設置した状態では、図６に示すように、第１保持枠４４６Ａの第２突出部４４６２Ｂ２における先端側の側端面４４６２Ｂ５（第１保持枠案内面）と一対の第１回転規制部４４７１Ｃの各第１回転規制面４４７１Ｃ１とが当接しかつ、第２突出部４４６２Ｂ２の長孔４４６２Ｂ７における開口端縁のうち第１保持枠案内面４４６２Ｂ５と対向する端縁部分４４６２Ｂ９（第１長孔案内面）と一対の第２回転規制部４４７１Ｅの各第２回転規制面４４７１Ｅ１とが当接することとなる。
【００６０】
また、保持枠姿勢調整部４４７の光学部品保持枠支持面４４７１Ａ上に第１保持枠４４６Ａを設置した状態では、第１保持枠４４６Ａの固定用孔４４６２Ｂ８を介して保持枠姿勢調整部４４７の螺合部材取付部４４７１Ｂ２が露出する。この状態で、第１保持枠４４６Ａの第１支持面４４６２Ｂ４上に第２保持枠４４６Ｂを設置すると、第２保持枠４４６Ｂの長孔４４６２Ｂ７を介して保持枠姿勢調整部４４７の螺合部材取付部４４７１Ｂ２が露出する。すなわち、第１保持枠４４６Ａおよび第２保持枠４４６Ｂを保持枠姿勢調整部４４７に設置した状態では、第１保持枠４４６Ａの固定用孔４４６２Ｂ８、および第２保持枠４４６Ｂの長孔４４６２Ｂ７を介して保持枠姿勢調整部４４７の螺合部材取付部４４７１Ｂ２が露出し、固定部４４８により第１保持枠４４６Ａおよび第２保持枠４４６Ｂを保持枠姿勢調整部４４７に対して固定可能となる。また、第２突出部４４６２Ｂ２における光学部品保持枠４４６の回動方向に直交する方向の幅寸法は、保持枠姿勢調整部４４７に設置された第１保持枠４４６Ａの第１支持面４４６２Ｂ４に第２保持枠４４６Ｂの摺接面４４６２Ｂ３が当接可能とするために、第２回転規制部４４７１Ｅと第３回転規制部４４７２との間の離間寸法と略同一か、あるいは、若干小さく設定されている。このため、保持枠姿勢調整部４４７に設置された第１保持枠４４６Ａの第１支持面４４６２Ｂ４上に第２保持枠４４６Ｂを設置した状態では、図６に示すように、第２保持枠４４６Ａの第２突出部４４６２Ｂ２における先端側の側端面４４６２Ｂ５（第２保持枠案内面）と一対の第２回転規制部４４７１Ｅの各第２回転規制面４４７１Ｅ２とが当接しかつ、第２保持枠４４６Ａの第２突出部４４６２Ｂ２における基端側の側端面４４６２Ｂ６（第２保持枠案内面）と一対の第３回転規制部４４７２の第３回転規制面４４７２Ｂとが当接することとなる。
以上説明したように、本実施形態では、第１保持枠４４６Ａの長孔４４６２Ｂ７が本発明に係る第１長孔に相当する。また、第２保持枠４４６Ｂの長孔４４６２Ｂ７が本発明に係る第２固定用孔に相当する。さらに、第１保持枠４４６Ａの固定用孔４４６２Ｂ８が本発明に係る第１固定用孔に相当する。
【００６１】
また、第２突出部４４６２Ｂ２には、図８または図９に示すように、一方の端縁（図８、図９中右側の端縁）から上方に向けて突出する移動操作部４４６２Ｂ０が形成されている。
【００６２】
上述した光学部品保持枠４４６の材料としては、特に限定されないが、例えば、熱伝導性を有する部材から構成することが好ましい。このような熱伝導性部材にて構成することで、入射側偏光板４４２Ａおよび視野角補正板４４４が光源装置４１１から射出された光束が照射されることにより生じる熱を光学部品保持枠４４６に放熱することができ、入射側偏光板４４２Ａおよび視野角補正板４４４の熱劣化を回避できる。例えば、前記熱伝導性部材としては、インバーおよび４２Ｎｉ−Ｆｅ等の鉄−ニッケル合金、アルミニウム合金、マグネシウム合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等を採用できる。
【００６３】
固定部４４８は、図６または図７に示すように、螺合部材としての２つの固定ねじ４４８１と、２つのワッシャ４４８２とを備える。
固定ねじ４４８１は、保持枠姿勢調整部４４７の各螺合部材取付部４４７１Ｂ１，４４７１Ｂ２に螺合可能とするものである。
ワッシャ４４８２は、光学部品保持枠４４６の第２突出部４４６２Ｂ２に形成された長孔４４６２Ｂ７における光学部品保持枠４４６の回動方向に直交する方向の幅寸法よりも大きい外形形状を有する。
【００６４】
以上説明した位置調整機構４４５を用いて、入射側偏光板４４２Ａおよび視野角補正板４４４の位置調整を実施する際には、以下のように実施する。
先ず、第１保持枠４４６Ａに対して入射側偏光板４４２Ａを固定する。具体的には、第１保持枠４４６Ａの各位置決め部４４６１Ｂ１〜４４６１Ｂ３に入射側偏光板４４２Ａの外周面を当接させ、例えば、接着剤等により、第１保持枠４４６Ａの開口部４４６１Ａの周縁部分に入射側偏光板４４２Ａを接着固定する。
同様に、第２保持枠４４６Ａに対して視野角補正板４４４を固定する。具体的には、第２保持枠４４６Ｂの各位置決め部４４６１Ｂ２〜４４６１Ｂ４に視野角補正板４４４の外周面を当接させ、例えば、接着剤等により、第２保持枠４４６Ｂの開口部４４６１Ａの周縁部分に視野角補正板４４４を接着固定する。
【００６５】
次に、第１保持枠４４６Ａの膨出部４４６１Ｃを部品収納部材４５１の入射側偏光板４４２Ａの配設位置に対応する溝部４５１Ａに挿入するとともに、保持枠姿勢調整部４４７の光学部品保持枠支持面４４７１Ａ上に第１保持枠４４６Ａの摺接面４４６２Ｂ３を当接させ、第１保持枠４４６Ａを光学部品用筐体４５に設置する。また、第２保持枠４４６Ａの膨出部４４６１Ｃを部品収納部材４５１の視野角補正板４４４の配設位置に対応する溝部４５１Ａに挿入するとともに、第１保持枠４４６Ａの第１支持面４４６２Ｂ４上に第２保持枠４４６Ｂの摺接面４４６２Ｂ３を当接させ、第２保持枠４４６Ｂを光学部品用筐体４５に設置する。この状態では、第２保持枠４４６Ｂの摺接面４４６２Ｂ３は、第１保持枠４４６Ａの第１支持面４４６２Ｂ４に当接するとともに、第３回転規制部４４７２の光学部品保持枠支持面４４７２Ａに当接する。
そして、固定ねじ４４８１を、ワッシャ４４８２を介して保持枠姿勢調整部４４７の螺合部材取付部４４７１Ｂ１に緩めた状態で螺合させる。同様に、固定ねじ４４８１を、ワッシャ４４８２、第２保持枠４４６Ｂの長孔４４６２Ｂ７、および第１保持枠４４６Ｂの固定用孔４４６２Ｂ８を介して保持枠姿勢調整部４４７の螺合部材取付部４４７１Ｂ２に緩めた状態で螺合させる。
【００６６】
この状態で、入射側偏光板４４２Ａの位置調整を実施する際には、第１保持枠４４６Ａの移動操作部４４６２Ｂ０を手で掴み、該移動操作部４４６２Ｂ０を左右に移動させることで、第１保持枠４４６Ａの第１保持枠案内面４４６２Ｂ５および第１長孔案内面４４６２Ｂ９が第１回転規制部４４７１Ｃの第１回転規制面４４７１Ｃ１および第２回転規制部４４７１Ｅの第２回転規制面４４７１Ｅ１に案内されて第１保持枠４４６Ａが保持枠姿勢調整部４４７の光学部品保持枠支持面４４７１Ａ上を摺動する。この第１保持枠４４６Ａの摺動により、入射側偏光板４４２Ａは、光学部品用筐体４５内に設定された照明光軸Ａを中心として該照明光軸Ａに直交する面内で位置調整される。
一方、視野角補正板４４４の位置調整を実施する際も同様に、第２保持枠４４６Ｂの移動操作部４４６２Ｂ０を手で掴み、該移動操作部４４６２Ｂ０を左右に移動させることで、第２保持枠４４６Ｂの一対の第２保持枠案内面４４６２Ｂ５，４４６２Ｂ６が第２回転規制部４４７１Ｅの第２回転規制面４４７１Ｅ２および第３回転規制部４４７２の第３回転規制面４４７２Ｂに案内されて第２保持枠４４６Ｂが第１保持枠４４６Ａの第１支持面４４６２Ｂ４、および保持枠姿勢調整部４４７の光学部品保持枠支持面４４７２Ａ上を摺動する。この第２保持枠４４６Ｂの摺動により、視野角補正板４４４は、光学部品用筐体４５内に設定された照明光軸Ａを中心として該照明光軸Ａに直交する面内で位置調整される。
これら入射側偏光板４４２Ａおよび視野角補正板４４４の位置調整を終了した後、各固定ねじ４４８１を締めることで、各ワッシャ４４８２が第１保持枠４４６Ａおよび第２保持枠４４６Ｂの各第２突出部４４６２Ｂ２を保持枠姿勢調整部４４７に押圧し、第１保持枠４４６Ａおよび第２保持枠４４６Ｂの双方が蓋状部材４５２に固定される。
【００６７】
以上説明したように、本実施形態では、第１保持枠４４６Ａは、蓋状部材４５２の光学部品保持枠支持面４４７１Ａ上に摺接面４４６２Ｂ３が当接し光学部品保持枠支持面４４７１Ａ上を摺動することで、保持した入射側偏光板４４２Ａが部品収納部材４５１内部に設定された照明光軸Ａを中心として照明光軸Ａに直交する平面内で回転し位置調整される。この際、第１保持枠４４６Ａは、第１保持枠案内面４４６２Ｂ５および第１長孔案内面４４６２Ｂ９が蓋状部材４５２の上面に設けられた第１回転規制部４４７１Ｃの第１回転規制面４４７１Ｃ１および第２回転規制部４４７１Ｅの第２回転規制面４４７１Ｅ１に挟まれた状態で当接する。このため、第１保持枠案内面４４６２Ｂ５、第１長孔案内面４４６２Ｂ９、第１回転規制面４４７１Ｃ１、および第２回転規制面４４７１Ｅ１により、第１保持枠４４６Ａを、光学部品保持枠支持面４４７１Ａ上において、照明光軸Ａを中心とする回動方向に直交する方向に回転して位置がずれることなく前記回動方向に良好に回動させることができ、入射側偏光板４４２Ａを良好に位置調整できる。また、第１保持枠４４６Ａは、第１保持枠案内面４４６２Ｂ５および第１長孔案内面４４６２Ｂ９が第１回転規制面４４７１Ｃ１および第２回転規制面４４７１Ｅ１に挟まれた状態で当接するので、第１保持枠４４６Ａを光学部品保持枠支持面４４７１Ａに対して固定ねじ４４８１を用いて固定する際でも、第１回転規制面４４７１Ｃ１および第２回転規制面４４７１Ｅ１により照明光軸Ａを中心とする回動方向に直交する方向の回転移動が規制され、第１保持枠４４６Ａが固定ねじ４４８１の回転に連動して回転することがなく、入射側偏光板４４２Ａを位置ずれなく良好に固定できる。
【００６８】
また、第２保持枠４４６Ｂは、第１保持枠４４６Ａの第１支持面４４６２Ｂ４上に摺接面４４６２Ｂ３が当接し第１支持面４４６２Ｂ４上を摺動することで、保持した視野角補正板４４４が部品収納部材４５１内部に設定された照明光軸Ａを中心として該照明光軸Ａに直交する平面内で回転し位置調整される。この際、第２保持枠４４６Ｂは、一対の第２保持枠案内面４４６２Ｂ５，４４６２Ｂ６が蓋状部材４５２の上面に設けられた第２回転規制部４４７１Ｅの第２回転規制面４４７１Ｅ２、および第３回転規制部４４７２の第３回転規制面４４７２Ｂに挟まれた状態で当接する。このため、一対の第２保持枠案内面４４６２Ｂ５，４４６２Ｂ６、第２回転規制面４４７１Ｅ２、および第３回転規制面４４７２Ｂにより、第２保持枠４４６Ｂを、第１保持枠４４６Ａの第１支持面４４６２Ｂ４上において、照明光軸Ａを中心とする回動方向に直交する方向に回転して位置がずれることなく前記回動方向に良好に回動させることができ、視野角補正板４４４を良好に位置調整できる。また、第２保持枠４４６Ｂは、一対の第２保持枠案内面４４６２Ｂ５，４４６２Ｂ６が第２回転規制面４４７１Ｅ２および第３回転規制面４４７２Ｂに挟まれた状態で当接するので、第２保持枠４４６Ｂを光学部品保持枠支持面４４７２Ａおよび第１保持枠４４６Ａの第１支持面４４６２Ｂ４に対して固定ねじ４４８１を用いて固定する際でも、第２回転規制面４４７１Ｅ２および第３回転規制面４４７２Ｂにより照明光軸Ａを中心とする回動方向に直交する方向の回転移動が規制され、第２保持枠４４６Ｂが固定ねじ４４８１の回転に連動して回転することがなく、視野角補正板４４４を位置ずれなく良好に固定できる。
【００６９】
そして、上述した構成により、光学部品保持枠支持面４４７１Ａ，４４７２Ａ上に第１保持枠４４６Ａおよび第２保持枠４４６Ｂを設置した状態では、各回動部４４６２Ｂが照明光軸Ａ方向に互いにずれた位置に配置されるので、例えば、各回動部４４６２Ｂが略同一位置に平面的に干渉するように配置される構成と比較して、第１保持枠４４６Ａおよび第２保持枠４４６Ｂを独立して容易に回動させる構造を実現できる。
【００７０】
また、第１保持枠４４６Ａの長孔４４６２Ｂ７を介して第２回転規制部４４７１Ｅを突出させる構成としているので、第１保持枠４４６Ａおよび第２保持枠４４６Ｂの回動を案内しかつ、回動方向に直交する方向の回転移動を規制する部材として、第１回転規制部４４７１Ｃ、第２回転規制部４４７１Ｅ、および第３回転規制部４４７２の少ない部材で構成でき、光学部品用筐体４５の製造を容易としかつその製造コストの低減を図れる。
さらに、蓋状部材４５２の光学部品保持枠支持面４４７１Ａ上に第１保持枠４４６Ａの回動部４４６２Ｂを支持させ、第１保持枠４４６Ａの回動部４４６２Ｂの第１支持面４４６２Ｂ４上に第２保持枠４４６Ｂの回動部４４６２Ｂを支持させる構造とすることで、第１保持枠４４６Ａおよび第２保持枠４４６Ｂを一体化して各保持枠４４６Ａ，４４６Ｂが占有するスペースの低減化を図れ、光学部品用筐体４５が大型化することもない。
【００７１】
ここで、光学部品保持枠４４６には、長孔４４６２Ｂ７および固定用孔４４６２Ｂ８が形成され、第１保持枠４４６Ａおよび第２保持枠４４６Ｂを蓋状部材４５２に設置した状態では、第１保持枠４４６Ａの固定用孔４４６２Ｂ８と第２保持枠４４６Ａの長孔４４６２Ｂ７とが互いに平面的に干渉する。また、光学部品保持枠支持面４４７１Ａには、第１保持枠４４６Ａの固定用孔４４６２Ｂ８、および第２保持枠４４６Ａの長孔４４６２Ｂ７を介して挿通される固定ねじ４４８１が取り付けられる螺合部材取付部４４７１Ｂ２が形成されている。このことにより、例えば、第１保持枠４４６Ａおよび第２保持枠４４６Ｂの双方を、単一の固定ねじ４４８１により固定することが可能となり、この構成を採用すれば、必要とする固定部４４８の数量を低減して光学部品用筐体４５の製造コストの低減を図れるとともに、各保持枠４４６Ａ，４４６Ｂの回動に応じた入射側偏光板４４２Ａおよび視野角補正板４４４の最適な位置で蓋状部材４５２に対して各保持枠４４６Ａ，４４６Ｂを一括して固定できる。
ここで、光学部品保持枠支持面４４７１Ａには、螺合部材取付部４４７１Ｂ２の他、螺合部材取付部４４７１Ｂ１も形成されているので、ワッシャ４４８２を介して固定ねじ４４８１を螺合部材取付部４４７１Ｂ１に螺合することで、光学部品保持枠４４６をより確実に光学部品保持枠支持面４４７１Ａ，４４７２Ａに対して固定できる。
【００７２】
さらにまた、第１回転規制部４４７１Ｃ、第２回転規制部４４７１Ｅ、および第３回転規制部４４７２は、光学部品保持枠４４６の回動方向に沿ってそれぞれ２つで構成されているので、例えば、それぞれ１つで構成する場合と比較して、第１保持枠４４６Ａおよび第２保持枠４４６Ｂの回動を安定して案内しかつ、回動方向に直交する方向の回転移動を確実に規制できる。
【００７３】
また、第１保持枠４４６Ａおよび第２保持枠４４６Ｂは、同一形状で形成されているので、第１保持枠および第２保持枠を異なる形状で形成する構成と比較して、第１保持枠４４６Ａおよび第２保持枠４４６Ｂを共通部品として使用でき、部品コストを抑制でき、光学部品用筐体４５の製造コストを低減できる。
【００７４】
ところで、第１保持枠および第２保持枠を同一形状で形成し、第１保持枠および第２保持枠に各入射側偏光板４４２Ａおよび視野角補正板４４４の上下方向の高さ寸法と略同一の離間寸法で各入射側偏光板４４２Ａおよび視野角補正板４４４の上下方向の外形位置を規定する一対の外形位置基準面を設けた場合には、以下の問題がある。
第１保持枠および第２保持枠の各一対の外形位置基準面を利用して各入射側偏光板４４２Ａおよび視野角補正板４４４を位置決めする。そして、第１保持枠および第２保持枠を蓋状部材の上面に設置する。この状態では、光学部品保持枠の回動部の厚み寸法分、第１保持枠に保持された入射側偏光板４４２Ａに対して第２保持枠に保持された視野角補正板４４４が上方側に位置し、部品収納部材４５１内での各入射側偏光板４４２Ａおよび視野角補正板４４４の位置が異なるものとなってしまう。
本実施形態では、上下方向の外形位置を規定する外形位置基準面となる位置決め部４４６１Ｂ１，４４６１Ｂ４の離間寸法が入射側偏光板４４２Ａや視野角補正板４４４における上下方向の高さ寸法に対して、光学部品保持枠４４６の回動部４４６２Ｂの厚み寸法分大きく形成されている。このことにより、第１保持枠４４６Ａに対して入射側偏光板４４２Ａを位置決めする場合には、上方側に位置する位置決め部４４６１Ｂ１に入射側偏光板４４２Ａの外形を合わせて位置決めする。また、第２保持枠４４６Ｂに対して視野角補正板４４４を位置決めする場合には、下方側に位置する位置決め部４４６１Ｂ４に視野角補正板４４４の外形を合わせて位置決めする。このように位置決めすることで、第１保持枠４４６Ａおよび第２保持枠４４６Ｂを蓋状部材４５２の上面に設置した場合であっても、部品収納部材４５１内での各入射側偏光板４４２Ａおよび視野角補正板４４４の位置が異なることなく所定位置に良好に位置付けることができる。
【００７５】
そして、第１保持枠４４６Ａが入射側偏光板４４２Ａを保持し、第２保持枠４４６Ｂが視野角補正板４４４を保持するので、第１保持枠４４６Ａを回動させることで射出側偏光板４４２Ｂに対する入射側偏光板４４２Ａの偏光軸の角度調整を実施できるとともに、第２保持枠４４６Ｂを回動させることで視野角補正板４４４における視野角調整も実施できる。したがって、光学ユニット４において、高コントラストかつ視野角の良好な光学像を形成できる。
【００７６】
そしてまた、プロジェクタ１は、３つの液晶パネル４４１Ｒ，４４１Ｇ，４４１Ｂを備える三板式のプロジェクタであるので、光学部品保持枠４４６にて各入射側偏光板４４２Ａおよび各視野角補正板４４４を位置調整することで、高コントラスト比を実現しつつ、液晶パネル４４１Ｒ，４４１Ｇ，４４１Ｂ毎に生じる視野角依存性による画面ムラを抑制し、色むらのない投射画像を形成できる。
【００７７】
なお、本発明は前述の実施形態に限定されるものではなく、本発明の目的を達成できる範囲での変形、改良等は本発明に含まれるものである。
前記実施形態では、第１保持枠４４６Ａにて入射側偏光板４４２Ａを保持し、第２保持枠４４６Ｂにて視野角補正板４４４を保持する構成を説明したが、これに限らず、第１保持枠４４６Ａおよび第２保持枠４４６Ｂにその他の光学部品をそれぞれ保持させる構成を採用してもよい。例えば、この光学部品としては、入射側偏光板４４２Ａ、視野角補正板４４４の他、射出側偏光板４４２Ｂ、位相差板、色補正膜等が例示できる。さらに、第１保持枠４４６Ａや第２保持枠４４６Ｂにそれぞれ１つのみの光学部品を保持させる構成の他、第１保持枠４４６Ａおよび第２保持枠４４６Ｂのうち少なくともいずれかに２つの光学部品を保持させる構成を採用してもよい。
【００７８】
前記実施形態では、第１保持枠４４６Ａおよび第２保持枠４４６Ｂを同一形状で形成したが、これに限らず、互いに異なる形状を有するように形成しても構わない。
前記実施形態では、２つの固定部４４８により第１保持枠４４６Ａおよび第２保持枠４４６Ｂを蓋状部材４５２に対して固定する構成を説明したが、これに限らず、例えば、螺合部材取付部４４７１Ｂ２に固定部４４８を螺合固定することで、第１保持枠４４６Ａおよび第２保持枠４４６Ｂの双方を蓋状部材４５２に対して固定する構成、すなわち、固定部４４８を１つのみで構成しても構わない。
【００７９】
前記実施形態では、第１回転規制部４４７１Ｃ、第２回転規制部４４７１Ｅ、および第３回転規制部４４７２は、光学部品保持枠４４６の回動方向に配置される２つでそれぞれ構成されていたが、これに限らず、１つのみでそれぞれ構成してもよく、あるいは、３つ以上でそれぞれ構成してもよい。
【００８０】
前記実施形態では、第１保持枠４４６Ａおよび第２保持枠４４６Ｂには移動操作部４４６２Ｂ０が設けられ、移動操作部４４６２Ｂ０を操作することにより第１保持枠４４６Ａおよび第２保持枠４４６Ｂを回動させていたが、これに限らず、その他の構成を採用してもよい。
例えば、第１保持枠４４６Ａおよび第２保持枠４４６Ｂに切り欠き等を形成しておき、切り欠きを介してドライバを挿通し、ドライバを操作することで切り欠き端縁を押圧して第１保持枠４４６Ａおよび第２保持枠４４６Ｂを回動させる構成を採用してもよい。
また、例えば、第１保持枠４４６Ａおよび第２保持枠４４６Ｂを手動にて回動させる構成に限らず、専用の光軸調整治具を用いて自動で回動させる構成を採用してもよい。
【００８１】
前記実施形態では、３つの液晶パネル４４１を用いたプロジェクタ１を説明したが、これに限らない。例えば、１つの液晶パネルのみを用いたプロジェクタ、２つの液晶パネルを用いたプロジェクタ、あるいは、４つ以上の液晶パネルを用いたプロジェクタにも適用可能である。
前記実施形態では、光学ユニット４は、平面視略Ｌ字状の形状を有していたが、その他の形状を採用してもよく、例えば、平面視略Ｕ字状の形状としてもよい。
【００８２】
前記実施形態では、光入射面と光射出面とが異なる透過型の光変調装置を用いたが、光入射面と光射出面とが同一となる反射型の光変調装置を用いてもよい。
前記実施形態では、スクリーンを観察する方向から投写を行うフロントタイプのプロジェクタの例のみを説明したが、本発明では、スクリーンを観察する方向とは反対側から投写を行うリアタイプのプロジェクタにも適用可能である。
【００８３】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００８４】
本発明のプロジェクタは、光学部品の位置調整を実施可能とし、光学部品を位置ずれなく良好に固定できるため、プレゼンテーションやホームシアターに用いられるプロジェクタとして有用である。
【図面の簡単な説明】
【００８５】
【図１】本実施形態におけるプロジェクタの外観を示す斜視図。
【図２】前記実施形態におけるプロジェクタの外観を示す斜視図。
【図３】前記実施形態におけるプロジェクタの内部構成を示す図。
【図４】前記実施形態におけるプロジェクタの内部構成を示す図。
【図５】前記実施形態における光学ユニットの光学系を模式的に示す平面図。
【図６】前記実施形態における位置調整機構を説明するための図。
【図７】前記実施形態における位置調整機構を説明するための図。
【図８】前記実施形態における光学部品保持枠を説明するための図。
【図９】前記実施形態における光学部品保持枠を説明するための図。
【符号の説明】
【００８６】
１・・・プロジェクタ、３・・・投射レンズ（投射光学装置）、４・・・光学ユニット（光学装置）、４５・・・光学部品用筐体、４１１・・・光源装置、４４１・・・液晶パネル（光変調装置）、４４２Ａ・・・入射側偏光板（光学部品）、４４４・・・視野角補正板（光学部品）、４４６Ａ・・・第１保持枠、４４６Ｂ・・・第２保持枠、４５１・・・部品収納部材、４５２・・・蓋状部材、４４６１Ｂ１，４４６１Ｂ４・・・位置決め部（外形位置基準面）、４４６２Ｂ・・・回動部（第１回動部、第２回動部）、４４６２Ｂ３・・・摺接面（第１摺接面、第２摺接面）、４４６２Ｂ４・・・第１支持面、４４６２Ｂ５・・・第１保持枠案内面，第２保持枠案内面、４４６２Ｂ６・・・第２保持枠案内面、４４６２Ｂ７・・・長孔（第１長孔、第２固定用孔）、４４６２Ｂ８・・・固定用孔（第１固定用孔）、４４６２Ｂ９・・・第１長孔案内面、４４７１Ａ，４４７２Ａ・・・光学部品保持枠支持面、４４７１Ｂ２・・・螺合部材取付部、４４７１Ｃ・・・第１回転規制部、４４７１Ｃ１・・・第１回転規制面、４４７１Ｅ・・・第２回転規制部、４４７１Ｅ１，４４７１Ｅ２・・・第２回転規制面、４４７２・・・第３回転規制部、４４７２Ｂ・・・第３回転規制面、４４８１・・・固定ねじ（螺合部材）、Ａ・・・照明光軸。
【図１】
2007057598.tif 000003
【図２】
2007057598.tif 000004
【図３】
2007057598.tif 000005
【図４】
2007057598.tif 000006
【図５】
2007057598.tif 000007
【図６】
2007057598.tif 000008
【図７】
2007057598.tif 000009
【図８】
2007057598.tif 000010
【図９】
2007057598.tif 000011